【手続補正書】
【提出日】平成24年8月3日(2012.8.3)
【手続補正１】
【補正対象書類名】特許請求の範囲
【補正対象項目名】全文
【補正方法】変更
【補正の内容】
【特許請求の範囲】
【請求項１】
外部装置と情報処理装置とを備える情報処理システムであって、
前記情報処理装置は、
前記外部装置から提供された操作画面を介して入力されたユーザ指示を示すイベントを前記外部装置に対して通知するイベント通知手段と、
前記外部装置からログアウト要求を受信すると、前記情報処理装置のログアウト処理を実行する第１ログアウト手段と
を備え、
前記外部装置は、
前記情報処理装置から通知された前記イベントの解析結果に基づいて前記情報処理装置にログアウト要求を通知するログアウト通知手段と、
前記ログアウト要求を通知すると、前記外部装置のログアウト処理を実行する第２ログアウト手段と
を備えることを特徴とする情報処理システム。
【請求項２】
外部装置と情報処理装置とを備える情報処理システムであって、
前記情報処理装置は、
前記外部装置から提供された操作画面を介して入力されたユーザ指示を示すイベントがログアウト要求であるか否かを判定する判定手段と、
前記イベントが前記ログアウト要求であると判定されると、前記外部装置に対して該ログアウト要求を通知するログアウト通知手段と、
前記ログアウト要求を通知すると、前記情報処理装置のログアウト処理を実行する第１ログアウト手段と
を備え、
前記外部装置は、
前記情報処理装置から前記ログアウト要求を受信すると、前記外部装置のログアウト処理を実行する第２ログアウト手段
を備えることを特徴とする情報処理システム。
【請求項３】
外部装置と情報処理装置とを備える情報処理システムであって、
前記情報処理装置は、
前記外部装置から提供された操作画面を介して入力されたユーザ指示を示すイベントを、該外部装置に対して通知するイベント通知手段と、
前記外部装置からの前記イベントの通知に対する応答に含まれる記述を解釈することにより、該応答にログアウト要求が含まれるか否かを判定する第１判定手段と、
前記応答に前記ログアウト要求が含まれていると、前記情報処理装置のログアウト処理を実行する第１ログアウト手段と
を備え、
前記外部装置は、
前記情報処理装置から通知された前記イベントを解析し、該イベントがログアウト要求であるか否かを判定する第２判定手段と、
前記イベントが前記ログアウト要求であると、前記外部装置のログアウト処理を実行する第２ログアウト手段と、
前記外部装置のログアウト処理を完了すると、前記イベントに対する応答に該ログアウト要求の記述を付加して通知する応答手段とを備えることを特徴とする情報処理システム。
【請求項４】
前記外部装置は、
前記情報処理装置のログアウトを行うか否かを確認するための確認画面の画面情報を前記情報処理装置に送信する画面情報送信手段と、
前記確認画面を介して入力されたユーザ指示が前記情報処理装置のログアウトを要求する場合は、前記情報処理装置のログアウト処理を実行させ、該ユーザ指示が前記情報処理装置のログアウトを要求していない場合は、前記情報処理装置のログアウト処理を実行させないログアウト制御手段と
をさらに備えることを特徴とする請求項１乃至３の何れか１項に記載の情報処理システム。
【請求項５】
ユーザごとに固有に割り当てられた識別子と、該識別子ごとに対応付けて、ユーザがログアウトを要求した場合に前記外部装置及び前記情報処理装置のログアウト処理を実行するか、前記外部装置のみのログアウト処理を実行するか、又は、前記確認画面を用いて前記情報処理装置におけるログアウト処理の実行を確認するかの何れかを示す属性情報とを管理する管理サーバをさらに備え、
前記情報処理装置は、
操作画面を介してユーザから入力された認証情報に基づいて、該ユーザの認証を行う認証手段と、
前記認証情報に含まれるユーザの識別子を用いて、前記管理サーバから前記属性情報を取得し、前記外部装置に送信する属性情報送信手段と
をさらに備え、
前記ログアウト制御手段は、
前記ログアウト要求を受信した場合に、前記属性情報に従って前記外部装置及び前記情報処理装置のログアウト処理を制御することを特徴とする請求項４に記載の情報処理システム。
【請求項６】
前記情報処理装置は、
前記外部装置から提供される操作画面をブラウザにより表示する表示手段を更に備えることを特徴とする請求項１乃至５の何れか１項に記載の情報処理システム。
【請求項７】
外部装置と通信する情報処理装置であって、
前記外部装置から提供された操作画面を介して入力されたユーザ指示を示すイベントを解析し、該イベントがログアウト要求であるか否かを判定する判定手段と、
前記イベントが前記ログアウト要求であると、前記外部装置に対して該ログアウト要求を通知するログアウト通知手段と、
前記ログアウト要求を通知すると、前記情報処理装置のログアウト処理を実行する第１ログアウト手段と
を備えることを特徴とする情報処理装置。
【請求項８】
外部装置と通信する情報処理装置であって、
前記外部装置から提供された操作画面を介して入力されたユーザ指示を示すイベントがログアウト要求であるか否かを判定する判定手段と、
前記イベントが前記ログアウト要求であると判定されると、前記外部装置に該ログアウト要求を通知するログアウト通知手段と、
前記ログアウト通知手段が外部装置に対してログアウト要求を通知する場合に、前記情報処理装置のログアウト処理を実行する第１ログアウト手段と、
を備えることを特徴とする情報処理装置。
【請求項９】
外部装置と通信する情報処理装置であって、
前記外部装置から提供された操作画面を介して入力されたユーザ指示を示すイベントを、該外部装置に対して通知するイベント通知手段と、
前記外部装置からの前記イベントの通知に対する応答に含まれる記述を解釈することにより、該応答にログアウト要求が含まれるか否かを判定する第１判定手段と、
前記応答に前記ログアウト要求が含まれていると、前記情報処理装置のログアウト処理を実行する第１ログアウト手段と、
を備えることを特徴とする情報処理装置。
【請求項１０】
ユーザごとに固有に割り当てられた識別子と、該識別子ごとに対応付けて、ユーザがログアウトを要求した場合に前記外部装置及び前記情報処理装置のログアウト処理を実行するか、前記外部装置のみのログアウト処理を実行するか、又は、前記操作画面を用いて前記情報処理装置におけるログアウト処理の実行を確認するかの何れかを示す属性情報とを管理する管理手段と、
操作画面を介してユーザから入力された認証情報に基づいて、該ユーザの認証を行う認証手段と、
前記認証情報に含まれるユーザの識別子を用いて、前記管理手段から前記属性情報を取得し、前記外部装置に送信する属性情報送信手段と
をさらに備えることを特徴とする請求項７乃至９の何れか１項に記載の情報処理装置。
【請求項１１】
前記外部装置から提供される操作画面をブラウザにより表示する表示手段を更に備えることを特徴とする請求項７乃至１０の何れか１項に記載の情報処理装置。
【請求項１２】
ブラウザ機能を備えた情報処理装置と通信するサーバであって、
前記情報処理装置から通知されたイベントがログアウト要求であるか否かを判定する判定手段と、
前記イベントが前記ログアウト要求であると、前記情報処理装置にログアウト処理を実行させるための通知を行うとともに、前記サーバのログアウト処理を実行する第２ログアウト手段と
を備えることを特徴とするサーバ。
【請求項１３】
外部装置と情報処理装置とを備える情報処理システムの制御方法であって、
前記情報処理装置が、
前記外部装置から提供された操作画面を介して入力されたユーザ指示を示すイベントを前記外部装置に対して通知するイベント通知ステップと、
前記外部装置からログアウト要求を受信すると、前記情報処理装置のログアウト処理を実行する第１ログアウトステップと
を実行し、
前記外部装置が、
前記情報処理装置から通知された前記イベントの解析結果に基づいて前記情報処理装置にログアウト要求を通知するログアウト通知ステップと、
前記ログアウト要求を通知すると、前記外部装置のログアウト処理を実行する第２ログアウトステップと
を実行することを特徴とする情報処理システムの制御方法。
【請求項１４】
外部装置と、情報処理装置とを備える情報処理システムの制御方法であって、
前記情報処理装置が、
前記外部装置から提供された操作画面を介して入力されたユーザ指示を示すイベントがログアウト要求であるか否かを判定する判定ステップと、
前記イベントが前記ログアウト要求であると判定されると、前記外部装置に対して該ログアウト要求を通知するログアウト通知ステップと、
前記ログアウト要求を通知すると、前記情報処理装置のログアウト処理を実行する第１ログアウトステップと
を実行し、
前記外部装置が、
前記情報処理装置から前記ログアウト要求を受信すると、前記外部装置のログアウト処理を実行する第２ログアウトステップ
を実行することを特徴とする情報処理システムの制御方法。
【請求項１５】
外部装置と情報処理装置とを備える情報処理システムの制御方法であって、
前記情報処理装置が、
前記外部装置から提供された操作画面を介して入力されたユーザ指示を示すイベントを、該外部装置に対して通知するイベント通知ステップと、
前記外部装置からの前記イベントの通知に対する応答に含まれる記述を解釈することにより、該応答にログアウト要求が含まれるか否かを判定する第１判定ステップと、
前記応答に前記ログアウト要求が含まれていると、前記情報処理装置のログアウト処理を実行する第１ログアウトステップと
を実行し、
前記外部装置が、
前記情報処理装置から通知された前記イベントを解析し、該イベントがログアウト要求であるか否かを判定する第２判定ステップと、
前記イベントが前記ログアウト要求であると、前記外部装置のログアウト処理を実行する第２ログアウトステップと、
前記外部装置のログアウト処理を完了すると、前記イベントに対する応答に該ログアウト要求の記述を付加して通知する応答ステップとを実行することを特徴とする情報処理システムの制御方法。
【請求項１６】
請求項７乃至１１の何れか１項に記載の情報処理装置の各手段として機能させるためのプログラム。
【請求項１７】
請求項１２に記載のサーバの各手段として機能させるためのプログラム。
【手続補正２】
【補正対象書類名】明細書
【補正対象項目名】０００９
【補正方法】変更
【補正の内容】
【０００９】
本発明は、例えば、外部装置と情報処理装置とを備える情報処理システムとして実現できる。情報処理装置は、外部装置から提供された操作画面を介して入力されたユーザ指示を示すイベントを外部装置に対して通知するイベント通知手段と、外部装置からログアウト要求を受信すると、情報処理装置のログアウト処理を実行する第１ログアウト手段とを備え、外部装置は、情報処理装置から通知されたイベントの解析結果に基づいて情報処理装置にログアウト要求を通知するログアウト通知手段と、ログアウト要求を通知すると、外部装置のログアウト処理を実行する第２ログアウト手段とを備えることを特徴とする。